(57)【特許請求の範囲】
【請求項１】
光源としてのエレクトロルミネッセンス発光体と、該エレクトロルミネッセンス発光体から発光する光を制御する光学部材とを有し、積極的に光を照らす方向が面内で異なる照明装置であって、
前記光学部材は、前記エレクトロルミネッセンス発光体から所定の輝度分布で発光する光のうち実質的に最も高い輝度を示す方向の光を主に集光する集光部材、該光を主に偏向する偏向部材、該光の偏向度合いが異なる２種以上の前記偏向部材、及び、該光を集光するのと同時に偏向する集光偏向部材、から選ばれる２種以上を含むように組み合わされてなり、
該２種以上の光学部材が前記エレクトロルミネッセンス発光体の面内方向に配置されている、ことを特徴とする照明装置。
【請求項２】
前記２種以上の光学部材を前記エレクトロルミネッセンス発光体の発光面上で自在に切り換えることができる切換手段を備えている、請求項１に記載の照明装置。
【請求項３】
前記集光部材及び／又は偏向部材が着脱自在である、請求項１又は２に記載の照明装置。
【請求項４】
前記集光部材は、微細なレンズ又はプリズムが形成された光学部材である、請求項１〜３のいずれか１項に記載の照明装置。
【請求項５】
前記偏向部材は、微細なレンズ、プリズム又はホログラムが形成された光学部材である、請求項１〜４のいずれか１項に記載の照明装置。
【請求項６】
前記集光部材で集光する光が、既に偏向された光である、請求項１〜５のいずれか１項に記載の照明装置。
【請求項７】
前記偏向部材で偏向する光が、既に集光された光である、請求項１〜６のいずれか１項に記載の照明装置。
【請求項８】
前記集光部材で集光する光が、偏向部材によって既に偏向された光であり、
前記集光部材は、微細なレンズ又はプリズムが形成された光学部材であり、
光を集光する集光部材、光の集光度合いが異なる２種以上の集光部材、光を偏向する偏向部材、光の偏向度合いが異なる２種以上の偏向部材、及び、光を集光するのと同時に偏向する集光偏向部材、から選ばれる２種以上の光学部材を含むように組み合わされてなり、
該２種以上の光学部材が前記エレクトロルミネッセンス発光体の面内方向に配置されている、請求項１〜７のいずれか１項に記載の照明装置。
【発明の詳細な説明】
【技術分野】
【０００１】
本発明は、照明装置に関し、さらに詳しくは、エレクトロルミネッセンス発光体から発光する光を集光ないし偏向する光学部材を有する照明装置に関する。
【背景技術】
【０００２】
エレクトロルミネッセンス素子（以下、「ＥＬ素子」ともいう。）は、無機物の発光材料からなる無機ＥＬ素子と、有機物の発光材料からなる有機ＥＬ素子とに大別される。こうしたＥＬ素子は、いずれも自己発光性であるため、全方位に光を放射する特性を有している。また、ＥＬ素子は、完全固体素子であるため、耐衝撃性に優れるとともに取り扱いが容易であるという利点がある。このため、グラフィックディスプレイの画素やテレビ画像表示装置の画素、あるいは面光源等としての研究開発及び実用化が進められている。
【０００３】
このうち、有機ＥＬ素子は、アントラセン等の蛍光性の有機固体からなる発光層とトリフェニルアミン誘導体等からなる正孔注入層、又は、発光層とペリレン誘導体等からなる電子注入層、又は、正孔注入層と発光層と電子注入層、のいずれかの積層形態を２つの電極（発光面側の電極は透明電極になる。）間に介在させてなる構造体である。こうした有機ＥＬ素子は、発光層に注入された電子と正孔とが再結合するときに生じる発光を利用するものである。このため、有機ＥＬ素子は、発光層の厚さを薄くすることにより、例えば４．５Ｖという低電圧での駆動が可能で応答も速いといった利点や、輝度が注入電流に比例するために高輝度のＥＬ素子を得ることができるといった利点等を有している。また、発光層とする蛍光性の有機固体の種類を変えることにより、青、緑、黄、赤の可視域すべての色で発光が得られている。有機ＥＬ素子は、このような利点、特に低電圧での駆動が可能であるという利点を有していることから、現在、実用化のための研究が進められている。そして、携帯電話の表示部分等、製作上での難易度が比較的低い小型のディスプレイでは、一部実用化がなされている。なお、無機ＥＬ素子においても、同様の研究が進められ、一部実用化がなされている。
【０００４】
ＥＬ素子は、表示装置としての用途の他、従来の白熱灯や蛍光灯に代わる次世代の照明としても期待されている。特に近年の材料開発やデバイス技術の改善により、蛍光灯並みの高効率化と長寿命化が実現されつつある。ＥＬ素子を利用した照明装置（ＥＬ照明装置ともいう。）は、平面発光を実現できるため、大面積化が比較的に容易であり、また、発光部に水銀を用いないことから、廃棄に際しても環境保全の観点から優位となる。ＥＬ照明装置の利点をまとめると、面発光であること、薄型（自由に曲げられる）であること、明るさを調整できること、発光色が多彩（発光材料が多い）なこと、水銀フリーであること、等が挙げられる。
【０００５】
これらのうち、面発光で薄型（自由に曲げられる）といったＥＬ照明装置の特徴から、従来の白熱灯や蛍光灯とは異なる使用方法が考えられる。具体的には、下記特許文献１に記載のように、面発光で薄型であるというＥＬ照明装置の利点を生かし、天井面や壁等の平面に貼り付けることができる他、下記特許文献２で提案されているように、湾曲した部分にも曲げて貼り付けることができる。
【特許文献１】特開２００４−２９６４２３号公報（第０００２段落）
【特許文献２】特開２００２−２１６５０７号公報（図４及び図５）
【発明の開示】
【発明が解決しようとする課題】
【０００６】
ＥＬ素子から発光する光は指向性が低いため、ＥＬ照明装置で広い範囲を照らす場合には有効である。しかしながら、ＥＬ照明装置で一部分を効率的に照らすことはできず、仮にそのようにしたい場合には全体を明るく照らす必要があり、結果的に他の部分も照らすことになって光エネルギーのロスが大きくなるという難点がある。また、全体を明るくする場合には、ＥＬ素子に印加する駆動電圧を高めて電流値を高くすることが必要であるが、電流値を高く設定すると、ＥＬ発光材料への負荷が増して発光寿命が短くなってしまう。また、当然ながら電流値を高く設定することは、エネルギー的にも不利となる。
【０００７】
一例として、足元を照らすために平面パネル状のＥＬ照明装置を廊下の壁に貼り付ける場合について考える。この場合、最も効率的に光を当てたい部分は、当然ながら壁から見て下側（足元側）となる。ところが、ＥＬ照明装置からの光は全方位に照射される（もしくはパネル平面の法線方向に最も強く発光する）ため、足元の廊下面を効率的に照らしているとは言えない。また、ＥＬ照明装置からは上向きにも光が照射するので、観察者（廊下を通過する者のこと。）が眩しく感じるといった不具合がある。
【０００８】
こうした問題に対し、ＥＬ照明装置のパネル面を足元に向けて傾ける手法が考えられる。しかしながら、この手法では、面発光で薄型でありさらに壁に一体化させて高い意匠性を演出できるというＥＬ照明装置の特性を生かすことはできない。同様に、ルーバー等を設置して光の方向を規制する手法も考えられるが、この場合も、意匠性を損なうおそれがある。意匠性の問題は、自動車や電車等の車内照明にＥＬ照明装置を用いた場合、天井の壁近くにＥＬ照明装置を貼り付けた場合、また、将来的には自動車の方向指示装置や前照灯にＥＬ照明装置を適用する場合に特に顕在化すると考えられる。
【０００９】
本発明は、上記問題を解決するためになされたものであって、その目的は、エレクトロルミネッセンス発光体から発光する光を集光ないし偏向して所望の方向に向けることができる照明装置を提供することにある。
【課題を解決するための手段】
【００１０】
上記課題を解決するための本発明の照明装置は、光源としてのエレクトロルミネッセンス発光体と、前記エレクトロルミネッセンス発光体から所定の輝度分布で発光する光のうち実質的に最も高い輝度を示す方向の光を主に集光する集光部材及び／又は該光を主に偏向する偏向部材と、を有することを特徴とする。
【００１１】
この発明において、エレクトロルミネッセンス発光体（ＥＬ発光体）とそのＥＬ発光体から発光した光のうち実質的に最も高い輝度を示す方向の光を主に集光する集光部材とを有するように構成されてなる発明によれば、駆動電圧を高めて電流値を高くしなくても、高いエネルギー効率で照射することができるので、ＥＬ発光体の長寿命化を実現できる。また、エレクトロルミネッセンス発光体（ＥＬ発光体）とそのＥＬ発光体から発光した光のうち実質的に最も高い輝度を示す方向の光を主に偏向する偏向部材とを有するように構成されてなる発明によれば、所望の方向に光の向きを変えることができるので、照らしたい部分に選択的に光を照射することができ、エネルギーロスを小さくしてＥＬ発光体の長寿命化を実現できるとともに、ＥＬ照明装置ならではの高い意匠性を実現できる。また、それらを両方備えた発明によれば、その両方の作用効果を奏することができる。
【００１２】
本発明の照射装置の好ましい態様として、前記集光部材で集光する光が、偏向部材によって既に偏向された光であるように構成してもよいし、前記偏向部材で偏向する光が、集光部材によって既に集光された光であるように構成してもよい。
【００１３】
これらの発明によれば、偏向部材で偏向する光が集光部材で既に集光された光であるので、照らしたい方向に照射する光を、より高いエネルギー効率の光として照射することができる。その結果、駆動電圧を高めて電流値を高くしなくても、高いエネルギー効率で照射でき、さらにエネルギーロスを小さくして照射でき、ＥＬ発光体の長寿命化を実現できるとともにＥＬ照明装置ならではの高い意匠性を実現できる。
【００１４】
また、本発明の照射装置の好ましい態様として、（Ａ）前記集光部材は、微細なレンズ又はプリズムが形成された光学部材であるように構成してもよいし、（Ｂ）前記偏向部材は、微細なレンズ、プリズム又はホログラムが形成された光学部材であるように構成してもよい。
【００１５】
こうした態様からなる本発明によれば、エレクトロルミネッセンス発光体から発光した光を所定の態様で集光し又は偏向することができる。
【００１６】
本発明の照射装置の好ましい態様として、光を集光する集光部材、光の集光度合いが異なる２種以上の集光部材、光を偏向する偏向部材、光の偏向度合いが異なる２種以上の偏向部材、及び、光を集光するのと同時に偏向する集光偏向部材、から選ばれる２種以上の光学部材を含むように組み合わされてなり、該２種以上の光学部材が前記エレクトロルミネッセンス発光体の面内方向に配置されているように構成する。
【００１７】
この発明によれば、異なる態様の２種以上の光学部材をエレクトロルミネッセンス発光体の面内方向に配置するので、例えば湾曲した壁面に本発明の照明装置を貼り付け且つその湾曲した壁面から特定の方向を照らしたい場合や本発明の照明装置が大面積である場合のように、積極的に光を照らしたい方向が照明装置の面内で異なるときに特に有効である。
【００１８】
また、本発明の照明装置の好ましい態様として、光を集光する集光部材、光の集光度合いが異なる２種以上の集光部材、光を偏向する偏向部材、光の偏向度合いが異なる２種以上の偏向部材、及び、光を集光するのと同時に偏向する集光偏向部材、から選ばれる２種以上の光学部材を含むように組み合わされてなり、該２種以上の光学部材を前記エレクトロルミネッセンス発光体の発光面上で自在に切り換えることができる切換手段を備えているように構成する。この場合において、前記切換手段が前記２種以上の光学部材を所定の順番でスライドさせるスライド手段等を例示でき、より具体的な例としては、頂点角度の異なるレンズフィルムを一連のロール状態としてスライドさせるスライド手段が挙げられる。
【００１９】
この発明によれば、異なる態様の２種以上の光学部材を自在に切り換えることができる切換手段を備えるので、それらの光学部材を切り換えることにより、光の照射方向を場面に応じて自在に変更することが可能となる。この場合において、切換手段として、２種以上の光学部材を所定の順番でスライドさせるスライド手段を採用すれば、光を照らしたい方向をシームレスに連続して変化させることができる。
【００２０】
本発明の照明装置の好ましい態様として、前記集光部材及び／又は偏向部材が着脱自在であるように構成する。
【００２１】
この発明によれば、集光部材及び／又は偏向部材を取り外し自在とすることにより、全方位を照射したい場合や特定の一方向を照らしたい場合等において、目的に応じた集光部材及び／又は偏向部材等の切り替えが可能となる。さらに、照射方向が異なる複数の光学部材を入れ替えて適用することにより、必要に応じて照射方向を積極的に規制することも可能となる。
【発明の効果】
【００２２】
本発明の照明装置によれば、駆動電圧を高めて電流値を高くしなくても、発光した光を高いエネルギー効率で所定の方向に当てることができるので、ＥＬ発光体の長寿命化を実現できるとともに、ＥＬ照明装置ならではの高い意匠性を実現できる。
【００２３】
また、本発明の照明装置によれば、例えば湾曲した壁面に本発明の照明装置を貼り付け且つその湾曲した壁面から特定の方向を照らしたい場合や本発明の照明装置が大面積である場合のように、積極的に光を照らしたい方向が照明装置の面内で異なるときに特に有効である。また、光を集光ないし偏向する少なくとも２種以上の光学部材を切り換えることができるので、積極的に光を照らしたい方向を場面に応じて自在に変更することが可能となる。
【００２４】
こうした本発明の照明装置は、ＥＬ照明装置を廊下の壁に貼り付ける場合、自動車や電車等の車内照明にＥＬ照明装置を用いる場合、天井の壁近くにＥＬ照明装置を貼り付ける場合、また、将来的には自動車の方向指示装置や前照灯にＥＬ照明装置を適用する場合等においても、高いエネルギー効率と防眩効果を可能とし、同時に高い意匠性を実現できる。
【発明を実施するための最良の形態】
【００２５】
以下、本発明の照明装置の実施の形態について説明するが、本発明は以下の実施形態に限定解釈されるものではない。
【００２６】
図１及び図２は、本発明の照明装置の例を示す模式的な断面図である。本発明の第１態様に係る照明装置３０Ａは、図１に示すように、光源としてのエレクトロルミネッセンス発光体（以下「ＥＬ発光体」という。）１０と、そのＥＬ発光体１０から所定の輝度分布で発光する光のうち実質的に最も高い輝度を示す方向の光を主に集光する集光部材２０Ａとの組み合わせからなる。また、本発明の第２態様に係る照明装置３０Ｂは、図２に示すように、光源としてのＥＬ発光体１０と、そのＥＬ発光体１０から所定の輝度分布で発光する光のうち実質的に最も高い輝度を示す方向の光を主に偏向する偏向部材２０Ｂとの組み合わせからなる。
【００２７】
これら集光部材２０Ａと偏向部材２０Ｂのように光を制御する光学部材を総称するときは「光学部材２０」で表し、光学部材２０を備える照明装置を総称するときは「照射装置３０」で表す。また、「主に集光する」とは、実質的に最も高い輝度を示す方向の光の方向を変えずに又はあまり変えずに集光する場合をいい、光の方向を変えること（偏向）は実質的には起こさない場合をいう。また、「主に偏向する」とは、実質的に最も高い輝度を示す方向の光の方向を実質的に変える場合をいい、光の集光は実質的には起こさない場合をいう。
【００２８】
こうした基本構成からなる本発明の照明装置３０は、ＥＬ発光体１０から発光した光を制御する光学部材２０を備えるので、発光した光で所定の方向を主に照らすことができる。そのため、ＥＬ発光体１０の駆動電圧を高めて全体を明るくしなくても、主に照らす方向に光をより集中させて明るくしたり、主に照らす方向に光の向きを変えることができるので、ＥＬ発光体１０中のＥＬ発光材料への負荷を低減でき、ＥＬ発光材料ひいてはＥＬ発光体１０の長寿命化を図ることができる。
【００２９】
以下、本発明の照明装置３０の構成要素について説明する。
【００３０】
［ＥＬ発光体］
ＥＬ発光体１０は、光学部材２０と組み合わされて本発明の照射装置３０を構成する。このＥＬ発光体１０は、所定色の光を発光するＥＬ発光層を有している。ＥＬ発光体１０が表示する発光パターンは、発光層が発光する光によって構成される。発光層が単色光を発光するように構成されている場合には、ＥＬ発光体１０は、面内方向に２以上の単色光領域を有するエリアカラータイプの照射装置３０を構成する。一方、発光層が２以上の発光色を発光するように構成されている場合には、ＥＬ発光体１０は、多色カラー又はフルカラータイプの照射装置３０を構成する。
【００３１】
［ＥＬ発光体］
図３は、エリアカラー照明用のＥＬ発光体の一例を示す模式的な断面図であり、図４は、フルカラー照明用のＥＬ発光体の一例を示す模式的な断面図である。図３に示すＥＬ発光体１０Ａは単色光を発光させる素子構造であり、この素子構造をＥＬ発光体１０Ａの面内方向に２以上の領域となるように配置することにより、エリアカラータイプの照射装置を構成することができる。一方、図４に示すＥＬ発光体１０Ｂは画素内で２以上の発光色（図４では３色）を発光させる素子構造であり、この素子構造をＥＬ発光体１０の面内に多数の画素として配置することにより、多色カラー又はフルカラータイプの照射装置を構成することができる。なお、図３に例示した単色光の素子構造は、図４に例示した３色の素子構造を構成する単素子として表すことができる。以下、ＥＬ発光体を総称するときは、符号１０で表す。
【００３２】
ＥＬ発光体１０は、図３及び図４に示すように、ＥＬ発光材料を含む発光層４（４Ｒ，４Ｇ，４Ｂ）を２つの電極３，５間に挟んでなるＥＬ積層体２を少なくとも有している。こうしたＥＬ発光体１０は、発光層４に注入された電子と正孔とが再結合するときに生じる発光１１を利用している。具体的には、基材１上に、電極３、発光層４及び電極５の順からなるＥＬ積層体２が設けられており、さらに必要に応じてそのＥＬ積層体２上に保護層６が設けられている。そして、さらに必要に応じて、その上に、透明基材９に設けられたカラーフィルタ８を、接着層７を介してＥＬ発光体１０に貼り合わせている。以下では、ＥＬ発光体について、有機ＥＬ発光体と無機ＥＬ発光体の各構成について説明する。図３及び図４に示すＥＬ発光体は有機、無機問わないが、後述する図５は無機ＥＬ発光体の一例である。
【００３３】
（有機ＥＬ発光体）
先ず、有機ＥＬ発光体の構成について説明する。基材１は、本発明の照明装置３０を装着する壁面等の被装着体５０側に設けられて、本発明の照明装置全体を支持する基材として作用する。基材１の種類、大きさ、厚さ等は特に限定されるものではなく、剛性を有するものであっても、フレキシブルで柔軟性のあるものであってもよい。基材の構成材料としては、例えば、Ａｌ等の金属、ガラス、石英、又は各種の樹脂等の材料を挙げることができる。なお、発光層４で発光した光は、図３及び図４においてはカラーフィルタ８の側から出射するので、この基材１は、必ずしも透明又は半透明になる材料を用いる必要はなく、不透明材料を用いることができる。
【００３４】
電極３は、陽極又は陰極のいずれかであるが、一般的には陽極として基材１上に設けられ、その電極３上には正孔注入層や正孔輸送層が設けられる。形成材料としては、金、銀、クロム等の金属、ＩＴＯ（インジウム錫オキサイド）、酸化インジウム、ＩＺＯ（インジウム亜鉛オキサイド）、ＳｎＯ２、ＺｎＯ等の透明導電膜、ポリアニリン、ポリアセチレン等の導電性酸化物等を挙げることができる。また、ＩＴＯと銀とＩＴＯとの積層構造からなる反射型電極とすることもできる。
【００３５】
発光層４は、本発明の照明装置３０の照明色を規定する層であり、図３に示すように特定色の発光層を全体又は所定領域に設けたエリアカラー照明用の発光層であってもよいし、図４に示すように赤色発光層４Ｒ、緑色発光層４Ｇ及び青色発光層４Ｂを面順次に設けたフルカラー照明用の発光層であってもよい。発光層形成用の材料としては、従来公知の有機ＥＬ材料を用いることができる。なお、本発明での照明色には白色も含まれ、したがってその発光層４には白色発光層も包含される。
【００３６】
発光層４は、具体的には、発光材料を含む事実上の発光層（発光材料層ともいう。）を挟むように電荷注入層や電荷輸送層が設けられた複数の層で構成されている。例えば電極３が陽極である場合、発光層４は、その電極３側から、正孔注入層と発光材料層とからなる積層体、又は、正孔注入層と発光材料層と電子注入層とからなる積層体、又は、発光材料層と電子注入層とからなる積層体、のいずれかの積層体で構成される。正孔注入層と発光材料層との間には正孔輸送層が設けられていてもよいし、発光材料層と電子注入層との間には電子輸送層が設けられていてもよい。また、各注入層や発光材料層が正孔輸送性材料や電子輸送性材料を含んでいてもよい。
【００３７】
正孔注入層の形成材料としては、例えば色素系材料、金属錯体系材料又は高分子系材料等、正孔注入層用材料として通常使用されるものを用いることができる。また、正孔輸送層の形成材料としては、フタロシアニン、ナフタロシアニン等、正孔輸送層用材料として通常使用されるものを用いることができる。
【００３８】
発光材料層は、ホスト材料とゲスト材料とを含有する層であり、そのホスト材料とゲスト材料は従来公知のものを使用することができ、また、それらの配合割合は使用する材料によっても任意に選択される。エリアカラー照明用の発光材料層やフルカラー照明用の発光材料層を構成する各色の形成材料の一例を挙げれば、赤色発光材料層用としては、ホスト材料として４，４−Ｎ，Ｎ’−ジカルバゾール−ビフェニル（ＣＢＰ）を用いると共にゲスト材料としてトリス（１−フェニルイソキノリン）イリジウム（III）錯体（Ｉｒ（ｐｉｑ）３）を挙げることができ、緑色発光材料層用としては、ホスト材料として４，４−Ｎ，Ｎ’−ジカルバゾール−ビフェニル（ＣＢＰ）を用いると共にゲスト材料としてトリス（２−フェニルピリジン）イリジウム（III）錯体（Ｉｒ（ｐｐｙ）３）を挙げることができ、青色発光材料層用としては、ホスト材料として９，１０−ジ−２−ナフチルアントラセン（ＤＮＡ）を用いると共にゲスト材料として１−ｔｅｒｔ−ブチル−ペリレン（ＴＢＰ）を挙げることができる。また、その他の色を発光させる材料を有するものであってもよい。
【００３９】
なお、発光材料層を形成するための材料はこれら以外であってもよく、例えば、ホスト材料としては、アントラセン誘導体、アリールアミン誘導体、ジスチリルアリーレン誘導体、カルバゾール誘導体、フルオレン誘導体、スピロ化合物等を例示でき、ゲスト材料としては、ペリレン誘導体、ピレン誘導体、ジスチリルアリーレン誘導体、アリールアミン誘導体、フルオレン誘導体、ＦＩｒＰｉｃ等のイリジウム錯体等を例示できる。
【００４０】
電子輸送層の形成材料としては、例えば金属錯体系材料、オキサジアゾール誘導体、トリアゾール誘導体、フェナントロリン誘導体等、電子輸送層として一般的に用いられている材料を挙げることができる。また、電子注入層の形成材料としては、発光材料層の発光材料に例示した材料の他、アルミニウム、フッ化リチウム等、電子注入層として一般的に用いられている材料を挙げることができる。
【００４１】
電極５は、上記電極３の対極をなすものであり、陰極又は陽極のいずれかであるが、一般的には陰極として設けられる。電極５は発光層４の光取り出し側にあるので、形成材料としては、ＩＴＯ（インジウム錫オキサイド）、酸化インジウム、ＩＺＯ（インジウム亜鉛オキサイド）、ＳｎＯ２、ＺｎＯ等の透明導電材料や、ＭｇＡｇ等からなる半透明金属が好ましく用いられる。
【００４２】
（無機ＥＬ発光体）
次に、無機ＥＬ発光体の構成について説明する。図５は、無機ＥＬ発光体１０Ｃの一例を示す模式的な断面図である。
【００４３】
基材１’としては、アルミナ（Ａｌ２Ｏ３）、石英ガラス（ＳｉＯ２）、マグネシア（ＭｇＯ）、フォルステライト（２ＭｇＯ・ＳｉＯ２）、ステアタイト（ＭｇＯ・ＳｉＯ２）、ムライト（３Ａｌ２Ｏ３・２ＳｉＯ２）、ベリリア（ＢｅＯ）、ジルコニア（ＺｒＯ２）、窒化アルミニウム（ＡｌＮ）、窒化シリコン（ＳｉＮ）、炭化シリコン（ＳｉＣ＋ＢｅＯ）等のセラミック基材、結晶化ガラス、石英ガラス等を用いることができる。その他、Ｂａ系、Ｓｒ系、及びＰｂ系ペロブスカイトを用いることもできる。また、高耐熱ガラス等を用いてもよく、ホウロウ等の絶縁処理を行った金属基板等を用いてもよい。
【００４４】
電極３’は、基材１’上に設けられ。この電極３’は、導電性の良い材料であれば特に制限されず、例えば、Ａｕ、Ａｇ、Ｐｔ、Ｉｒ等の貴金属、Ｎｉ、Ｗ、Ｍｏ、Ｎｂ、Ｔａ等の高融点金属、これら貴金属又は高融点金属の合金等を使用することができる。通常、ＡｕやＰｔ等の貴金属が好ましく用いられるが、図５に示す電極保護層１９を電極３’の表面に設ければ、酸化や硫化され易いような金属、例えばＡｇ、Ａｇ／Ｐｄ等を用いることができる。なお、図５に示す電極保護層１９は、例えばチタン酸バリウム等を例示でき、後述する無機発光層４’から生じる可能性のある硫化物等によって電極３’が腐食しないように保護するように作用する。
【００４５】
電極３’の形成は、上記電極材料の粉体を、例えば溶剤に又は溶剤と樹脂に、必要に応じてガラスフリット等を添加し、混合又は混練して得られたペーストをスクリーン印刷等の方式によって基材１’上に所望のストライプパターンで塗布形成し、焼成することにより行う。また、ペーストをパターン状ではなく基材全面にベタ状に塗布形成し、焼成した後に、フォトリソグラフィー法によりパターニングしてもよい。また、電極３’は、上記の電極材料を用いて、メッキ、蒸着、又はスパッタリングを行うことにより、基材全面にベタ状に金属層又は合金層を形成した後に、上記のようにしてパターニングすることもでき、あるいは、メッキ、蒸着、又はスパッタリングをマスクパターンを介して行うことにより、パターン状に形成することもできる。電極３’の厚さは、形成方法によっても異なるが、スクリーン印刷等の厚膜の形成に適した方式による場合は０．５μｍ〜５μｍ程度であることが好ましく、蒸着やスパッタリング等の薄膜の形成に適した方式による場合は０．１μｍ〜１．０μｍ程度であることが好ましい。
【００４６】
厚膜誘電体層１６は、電極３’上、又は電極３’上に電極保護層１９が設けられた場合にはその電極保護層１９上に設けられる。この厚膜誘電体層１６は、誘電体の粉体を、例えば溶剤に又は溶剤と樹脂に、必要に応じてガラスフリット等を添加し、混合又は混練して得られたペーストをスクリーン印刷等の方式によって、電極３’を覆うように塗布形成し、焼成して形成する。厚膜誘電体層１６は、静水圧プレス法により、又は、ゾルゲル法やＭＯＤ（Metal  Organic  Decomposition）法等によって形成することができる。静水圧プレス法での形成は、焼成前の厚膜誘電体層の上面に、表面が平滑な基準板を載置し、静水圧プレス法によって圧縮し、その後に焼成を行う。静水圧プレスの条件としては、室温〜３００℃で、５０ＫＰａ〜４００ＭＰａで行われる。この範囲で行えば、密度が高く、誘電特性の優れる厚膜誘電体層１６が得られる。
【００４７】
誘電体粉体としては、例えばＢａＴｉＯ３、（ＢａｘＣａ１−ｘ）ＴｉＯ３、（ＢａｘＳｒ１−ｘ）ＴｉＯ３、ＰｂＴｉＯ３、Ｐｂ（ＺｒｘＴｉ１−ｘ）Ｏ３（以下、ＰＺＴともいう）等のペロブスカイト構造を有する強誘電体、Ｐｂ（Ｍｇ１／３Ｎｂ２／３）Ｏ３（以下、ＰＭＮともいう）等に代表される複合ペロブスカイト型強誘電体、Ｂｉ４Ｔｉ３Ｏ１２、ＳｒＢｉ２Ｔａ２Ｏ９に代表されるビスマス層状化合物、（ＳｒｘＢａ１−ｘ）Ｎｂ２Ｏ６、ＰｂＮｂ２Ｏ６等に代表されるタングステンブロンズ型強誘電体等を用いることができる。中でも、特により高い誘電率を達成でき、かつより低い焼成温度で熱処理可能である、ＢａＴｉＯ３、ＰＺＴ、ＰＭＮ等のペロブスカイト型誘電体がより好ましく、さらにその中でも化学組成中に鉛元素を含む誘電体がより好ましい。この鉛を含む誘電体は、基材１’としてガラスを用いる場合に特に適している。また、ＰＭＮに代表されるＰｂを含む複合ペロブスカイト型化合物はリラクサと呼ばれ、広い温度範囲で高い比誘電率を示すことから、厚膜誘電体材料として好ましい。
【００４８】
厚膜誘電体層１６の厚さは、２μｍ〜１００μｍ程度が好ましい。１００μｍよりも厚いと緻密化が困難となり、一方、２μｍよりも薄いと電極３’のパターニング部分との段差の影響が大きくなる。後記する発光層４’は、厚膜誘電体層１６と電気的に直列に配置されることになるため、外部から電圧を印加したとき、発光層４’に効率よく電圧がかかるようにするためには、厚膜誘電体層１６の静電容量が発光層４’の静電容量よりも高いことが好ましく、具体的には１０倍程度であることが好ましい。なお、厚膜誘電体層１６の静電容量と発光層４’の静電容量との比は、それぞれの層の「比誘電率／膜厚」どうしの比率に等しくなる。
【００４９】
薄膜誘電体層１７は、発光層側の表面の平坦性を向上させ、かつより厚膜誘電体層１６の誘電率特性を向上させる場合に設けられる。厚膜誘電体層１６に凹凸や異物が付着しているような場合であっても、薄膜誘電体層１７を厚膜誘電体層１６上に形成することにより、発光層４’の下地層となる薄膜誘電体層１７の表面を極めて平坦化することができる。この薄膜誘電体層１７は、上記厚膜誘電体層１６と同じ組成物を用いて形成することができる。薄膜誘電体層１７は、厚膜誘電体層１６上に薄膜誘電体層形成用組成物を含む塗布液を、例えばダイコーティング法、ロールコーティング法、ブレードコーティング法、スピンコーティング法等によって塗布形成し、形成された塗膜を塗布液の組成に応じて乾燥し、焼成を行って形成することができる。なお、この薄膜誘電体層１７は、平坦性や電気特性をさらに向上させるための他の層を含んでもよい。薄膜誘電体層１７の厚さは、０．０１μｍ〜３μｍ程度でよい。薄膜誘電体層１７の厚さは、膜厚が０．０１μｍ未満の場合は、膜としての機能を有さず、また、３μｍを超える厚膜となるとクラックが発生し易くなるとともに、基材全体の誘電率が増加するため、電圧印加時に発光層４’に十分に電圧が印加されない場合がある。
【００５０】
発光層４’は、非常に平坦な薄膜誘電体層１７上に形成されるので、発光特性に優れたものとなる。発光層４’を形成する発光材料は、例えば赤色発光を得る材料としてはＺｎＳ、Ｍｎ／ＣｄＳＳｅ等を挙げることができ、緑色発光を得る材料としてはＺｎＳ：ＴｂＯＦ、ＺｎＳ：Ｔｂ等を挙げることができ、青色発光を得る材料としてはＳｒＳ：Ｃｅ、（ＳｒＳ：Ｃｅ／Ｚｎｓ）ｎ、Ｃａ２Ｇａ２Ｓ４：Ｃｅ、Ｓｒ２Ｇａ２Ｓ４：Ｃｅ等を挙げることができ、また、白色発光を得る材料としてＳｒＳは：Ｃｅ／ＺｎＳ：Ｍｎ等を挙げることができる。発光層４’の形成は、上記発光材料を蒸着、スパッタリング又はＣＶＤ法等によって行うことができる。発光層４’の厚さは、０．１μｍ〜３μｍ程度が好ましく、０．３μｍ〜２μｍ程度がより好ましい。
【００５１】
薄膜誘電体層１８は、発光層４’上に設けられる。この薄膜誘電体層１８を設けることにより、外部からの水蒸気や酸素等が発光層４’側へ侵入するのを抑制することができる。この薄膜誘電体層１８は、上述した薄膜誘電体層１７と同様の方法で形成することができる。また、薄膜誘電体層１８の厚さは、０．０１μｍ〜１μｍ程度が好ましく、０．０１５μｍ〜０．５μｍ程度がより好ましい。なお、この薄膜誘電体層１８と上記薄膜誘電体層１７とで好ましい膜厚が異なっているのは、それぞれの薄膜誘電体層を設ける下地の表面粗さが異なっているためである。
【００５２】
電極５’は、観測者側に設けられるため、発光層４’から発光した光の透過を妨げないように、透明電極材料で形成する必要がある。透明電極材料としては、ＩＴＯ（酸化インジウム錫）、ＳｎＯ２、ＺｎＯ−Ａｌ等の酸化物導電性材料が挙げられる。電極５’の形成は、上記の酸化物導電性材料を蒸着又はスパッタリングすることにより行うことができる。電極５’の厚さは、０．０５μｍ〜０．２μｍ程度が好ましい。
【００５３】
以上、有機ＥＬ発光体と無機ＥＬ発光体の構成についてそれぞれ説明したが、そうした発光体１０は、フルカラー照明用のＥＬ発光体であってもよいし、エリアカラー照明用のＥＬ発光体であってもよい。
【００５４】
なお、フルカラー照明用のＥＬ発光体は、面内方向に、赤色発光層４Ｒ、緑色発光層４Ｇ及び青色発光層４Ｂを順次設けた形態となるので、例えば図４に示すように、各色の発光層４Ｒ，４Ｇ，４Ｂを区分けするための隔壁１４が設けられる。隔壁１４は、酸化ケイ素等の無機材料やレジスト等の有機材料で形成することができ、電極３がパターン形成された後で各色の発光層４Ｒ，４Ｇ，４Ｂを形成する前に所定のパターンで形成される。隔壁１４よって各色の発光層４Ｒ，４Ｇ，４Ｂの形成領域が区分けされた後は、例えば各色の発光層形成用塗布液等を塗布することにより各色の発光層４Ｒ，４Ｇ，４Ｂが形成される。その後、全体を覆うように上述した電極５が形成され、その後に例えば各発光層４Ｒ，４Ｇ，４Ｂに対してガスバリア性を有するＳｉＯＮ等の保護膜６等が任意に形成される。なお、電極３，５は、アクティブマトリクス方式で形成されてもよいし、単純マトリックス方式で形成されていてもよい。
【００５５】
（白色有機ＥＬ発光体）
本発明に係る照明装置は、特に白色光を発光する照明であることが有効であるので、以下では白色ＥＬ発光体についてより詳しく説明する。白色ＥＬ発光体は、エネルギー効率を下げることのあるカラーフィルタを設けなくてもよいので好ましい。なお、Ｒ，Ｇ，Ｂの単色での照明光を構成する場合は、各色の発光層を単独でベタ状に成膜して使用すれば可能である。
【００５６】
白色ＥＬ発光体は、発光層４を第１発光層と第２発光層で構成し、かつ第１発光層、第２発光層の順に電極３（通常は透明電極からなる陽極）側から順次積層して構成することが好ましい。特に、電極５（通常は陰極）側に近い第２発光層が、遠い第１発光層よりも電子輸送能力が大であることが好ましい。その理由は、２つの発光層の界面で主たる発光が生じ、ここでの発光又は励起エネルギーを利用し、液体状態での蛍光ピークが５８０ｎｍ以上６５０ｎｍ以下の有機化合物が発光し、透明電極側から白色光を取り出すことができるからである。第１発光層と第２発光層の積層順を逆にした場合は、第１発光層の発光が第２発光層に吸収され、良好な白色光を得ることができなくなる。液体状態での蛍光ピークが５８０ｎｍ以上６５０ｎｍ以下である有機化合物は、発光波長では長波長成分であるので、他の成分により吸収されることはなく、有機化合物層のいかなる層に含有させてもよい。そして、第２発光層の厚さは第１発光層の厚さ以上であればよい。
【００５７】
発光層の形成方法としては、例えば蒸着法、スピンコート法、キャスト法、ＬＢ法等の方法を挙げることができるが、特に分子堆積膜であることが好ましい。ここで、分子堆積膜とは、有機化合物の気相状態から沈着され、形成された膜や、有機化合物の溶液状態又は液相状態から固体化され、形成された膜のことである。ＬＢ法で形成された分子堆積膜は、凝集構造や高次構造の相違、又はそれに起因する機能的な相違により区分けすることができる。
【００５８】
正孔注入輸送層は、必須の層ではないが、発光性能を向上させるために好ましく用いられる。正孔注入輸送層用の材料としては、より低い電界で正孔を発光層に輸送する材料が好ましく、さらに正孔の移動度が１０4〜１０6Ｖ／ｃｍの電場で少なくとも１０-6ｃｍ2 ／Ｖ・秒であることがより好ましい。
【００５９】
正孔注入輸送層としては、例えば特許第３３６６４０１号に記載の、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体等を挙げることができる。さらに、シラザン誘導体、ポリシラン系、アニリン系共重合体、また、特願平１−２１１３９９号明細書で示された導電性高分子オリゴマー、特にチオフェンオリゴマー等が挙げられる。
【００６０】
特に、次に示すポルフィリン化合物、芳香族第三級アミン化合物、スチリルアミン化合物を用いることが好ましく、中でも芳香族第三級アミン化合物が好ましい。
【００６１】
ポルフィリン化合物の代表例としては、ポルフィン；１，１０，１５，２０−テトラフェニル−２１Ｈ，２３Ｈ−ポルフィン銅（II）；１，１０，１５，２０−テトラフェニル２１Ｈ，２３Ｈ−ポルフィン亜鉛（II）；５，１０，１５，２０−テトラキス（ペンタフルオロフェニル）−２１Ｈ，２３Ｈ−ポルフィン；シリコンフタロシアニンオキシド；アルミニウムフタロシアニンクロリド；フタロシアニン（無金属）；ジリチウムフタロシアニン；銅テトラメチルフタロシアニン；銅フタロシアニン；クロムフタロシアニン；亜鉛フタロシアニン；鉛フタロシアニン；チタニウムフタロシアニンオキシド；マグネシウムフタロシアニン；銅オクタメチルフタロシアニン等が挙げられる。また、芳香族第三級アミン化合物及びスチリルアミン化合物の代表例としては、Ｎ，Ｎ，Ｎ’，Ｎ’−テトラフェニル−４，４’−ジアミノフェニル；Ｎ，Ｎ’−ジフェニル−Ｎ，Ｎ’−ジ（３−メチルフェニル）−４，４’−ジアミノビフェニル（ＴＰＤＡ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ’，Ｎ’−テトラ−ｐ−トリル−４，４’−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ’−ジフェニル−Ｎ，Ｎ’−ジ（４−メトキシフェニル）−４，４’−ジアミノビフェニル；Ｎ，Ｎ，Ｎ’，Ｎ’−テトラフェニル−４，４’−ジアミノジフェニルエーテル；４，４’−ビス（ジフェニルアミノ）クオードリフェニル；Ｎ，Ｎ，Ｎ−トリ（ｐ−トリル）アミン；４−（ジ−ｐ−トリルアミノ）−４’−〔４（ジ−ｐ−トリルアミノ）スチリル〕スチルベン；４−Ｎ，Ｎ−ジフェニルアミノ−（２−ジフェニルビニル）ベンゼン；３−メトキシ−４’−Ｎ，Ｎ−ジフェニルアミノスチルベンゼン；Ｎ−フェニルカルバゾール；芳香族ジメチリディン系化合物等が挙げられる。また、芳香族メチリジン化合物も、正孔注入輸送層の材料として用いることができる。さらに、ｐ型−Ｓｉ、ｐ型−ＳｉＣ等の無機化合物（国際公開特許ＷＯ９０−０５９９８号公報参照）も、正孔注入輸送層の材料として用いることができる。
【００６２】
正孔注入輸送層は、例えば真空蒸着法、スピンコート法、キャスト法、ＬＢ法等の公知の方法で形成することができる。正孔注入輸送層の厚さは、通常は１ｎｍ〜１０μｍ、好ましくは５ｎｍ〜５μｍである。正孔注入輸送層は、これらの正孔注入輸送材料一種又は二種以上からなる一層で構成されてもよいし、あるいは、前記正孔注入輸送層とは別種の化合物からなる正孔注入輸送層を積層したものであってもよい。
【００６３】
電子注入輸送層には、発光層４と電極５（陰極）との間の付着性を向上させるために、発光層と陰極に対して付着性の高い材料を含有させることが好ましい。付着性の高い材料としては、ニトロ置換フルオレノン誘導体、アントラキノジメタン誘導体、ジフェニルキノン誘導体、チオピランジオキシド誘導体、ナフタレンペリレン誘導体等の複素環テトラカルボン酸無水物、カルボジイミド、フルオレニリデンメタン誘導体、アントラキノジメタン誘導体及びアントロン誘導体、オキサジアゾール誘導体、その他特定の電子伝達性化合物等を挙げることができる。また、８−ヒドロキシキノリン又はその誘導体の金属錯体（Ａｌ、Ｚｎ、Ｌｉ、Ｇａ、Ｂｅ、Ｉｎ、Ｍｇ、Ｃｕ、Ｃａ、Ｓｎ又はＰｂ）を挙げることができる。具体的には、オキシン（一般に８−キノリノール又は８−ヒドロキシキノリン）のキレートを含む金属キレートオキシノイド化合物である。このような化合物は高水準の性能を示し、容易に薄膜にすることができる。
【００６４】
具体的なキレート化オキシノイド化合物としては、トリス（８−キノリノール）アルミニウム；ビス（８−キノリノール）マグネシウム；ビス（ベンゾ−８−キノリノール）亜鉛；ビス（２−メチル−８−キノリラート）アルミニウムオキシド；トリス（８−キノリノール）インジウム；トリス（５−メチル−８−キノリノール）アルミニウム；８−キノリノールリチウム；トリス（５−クロロ−８−キノリノール）ガリウム；ビス（５−クロロ−８−キノリノール）カルシウム；５，７−ジクロル−８−キノリノールアルミニウム；トリス（５，７−ジブロモ−８−ヒドロキシキノリノール）アルミニウム等を挙げることができる。その他に、メタルフリー又はメタルフタロシアニン、それらの末端がアルキル基又はスルホン基で置換されているものも好ましい。さらに、発光層の材料として前述したジスチリルピラジン誘導体も電子注入輸送層の材料として用いることができる。さらに、ｐ型−Ｓｉ、ｐ型−ＳｉＣ等の無機化合物（国際公開特許ＷＯ９０−０５９９８号公報参照）も、電子注入輸送層の材料として用いることができる。
【００６５】
電子注入輸送層は、例えば真空蒸着法、スピンコート法、キャスト法、ＬＢ法等の公知の薄膜化方法で形成することができる。電子注入輸送層の厚さは、通常は１ｎｍ〜１０μｍ、好ましくは５ｎｍ〜５μｍである。電子注入輸送層は、これらの電子注入輸送材料一種又は二種以上からなる一層で構成されてもよいし、あるいは、前記電子注入輸送層とは別種の化合物からなる電子注入輸送層を積層したものであってもよい。
【００６６】
（カラーフィルタ）
本発明の照明装置には、必要に応じ、図３及び図４に示すようなカラーフィルタ８を任意に設けてもよい。カラーフィルタ８は、図３に示すように、エリアカラー照明用のＥＬ発光体１０Ａに対応した単色着色層からなるカラーフィルタであってもよいし、図４に示すように、フルカラー照明用のＥＬ発光体１０Ｂに対応した単色着色層からなるカラーフィルタであってもよいし、その他の各種形態からなるカラーフィルタであってもよく、特に限定されない。こうしたカラーフィルタ８は、例えば白色発光を着色したい場合や、各色の発光を希望の色目にしたい場合に設けることができる。カラーフィルタ８を構成する着色層としては、一般的に設けられている赤色着色層、緑色着色層、青色着色層の他、シアン着色層、マゼンダ着色層から選ばれる１種又は２種以上の着色層が設けられる。
【００６７】
（光学部材）
次に、光学部材について説明する。本発明の照明装置３０を構成する光学部材２０は、図１及び図２に示すように、大別して２つの態様がある。図１に示す第１の態様に係る光学部材は、ＥＬ発光体１０から所定の輝度分布で発光する光のうち実質的に最も高い輝度を示す方向の光を主に集光する集光部材２０Ａである。一方、図２に示す第２の態様に係る光学部材は、ＥＬ発光体１０から所定の輝度分布で発光する光のうち実質的に最も高い輝度を示す方向の光を主に偏向する偏向部材２０Ｂである。
【００６８】
図１に示す集光部材２０Ａは、ＥＬ発光体１０から所定の方向に発光した光を集光するように機能し、図２に示す偏向部材２０Ｂは、ＥＬ発光体１０から所定の方向に発光した光の向きを変える（偏向する）ように機能する。なお、その集光や偏向の程度は特に限定されず、その目的に応じて任意である。また、図２中のθは、ＥＬ発光体面と所定の角度θをなす方向（法線方向ではない方向）を示している。
【００６９】
「実質的に最も高い輝度を示す方向の光」とは、輝度が偶然高くなったようなイレギュラーの方向の光を指すのではなく、「ＥＬ発光体１０から発光した主要な方向の光」を指していることを意味し、本発明の照明装置を構成する光学部材２０は、そうした主要な方向の光を集光ないし偏向する部材として作用する。また、「輝度分布」とは、ＥＬ発光体１０を輝度測定装置（ここではＥＬＤＩＭ社製のＥＺ−ｃｏｎｔｒａｓｔ１６０Ｒ）によって測定して得られた輝度の分布をいい、法線方向を正面（０°）とし、方位角度方向を３６０°の全方位、極角度を左右±８０°の角度で測定した結果から得られる分布である（後述の図１１〜図１５を参照）。
【００７０】
図６には、本発明の照明装置を構成可能な光学部材の複数の例を示している。図６（Ａ）に示す光学部材２０Ａは、ＥＬ発光体１０から発光した主要な方向の光が例えばＥＬ発光体面の法線方向の光である場合に、その光を主に集光させることができる光学部材であって、一方向に延びる二等辺の矩形レンズ２１が連続して多数配列した光学部材である。詳しくは、矩形レンズ２１は、その断面形状が頂角α：３０°〜１５０°で両底角β，γ：７５°〜１５°の二等辺形状のレンズであり、ＥＬ発光体１０から広角に発光した光の多くを例えばＥＬ発光体面の法線方向に向かわせる（集光する）ように作用する。矩形レンズ２１の形状を特定する前記の各角度α，β，γの値を任意に設定することによって、ＥＬ発光体１０から発光した光の集光の程度を任意に設定することができる。この矩形レンズ２１の高さは７μｍ〜７００μｍであり、その幅（図６（Ａ）を正面視した場合の左右方向の幅）は１０μｍ〜１０００μｍである。
【００７１】
また、この矩形レンズ２１が配列した光学部材２０Ａを、一方向に延びる矩形レンズ２１の方向が直交するように、すなわち矩形レンズ２１の稜線が直交するように、積層させることもできる。こうすることにより、ＥＬ発光体から発光した光の集光の程度をより高めることができる。
【００７２】
一方、図６（Ｂ）に示す光学部材２０Ｂは、ＥＬ発光体１０から発光した主要な方向の光が例えばＥＬ発光体面の法線方向の光である場合に、その光をＥＬ発光体面の法線方向ではない方向、具体的にはＥＬ発光体面から所定の角度θの方向に偏向させることができる光学部材であって、一方向に延びるノコギリ刃状ないしプリズム形状の矩形レンズ２２が連続して多数配列した光学部材である。詳しくは、矩形レンズ２２は、その断面形状が頂角α：４５°〜８０°、左底角β：４５°〜１０°、右底角γ：９０°〜４５°のレンズであり、ＥＬ発光体１０から広角に発光した光の多くを例えばＥＬ発光体面から角度θの方向に向かわせる、すなわち偏向させるように作用する。矩形レンズ２２の形状を特定する前記の各角度α，β，γの値を任意に設定することによって、ＥＬ発光体１０から発光した光の偏向の程度を任意に設定することができる。なお、この矩形レンズ２２の高さは７μｍ〜７００μｍであり、その幅（図６（Ｂ）を正面視した場合の左右方向の幅）は１０μｍ〜１０００μｍである。
【００７３】
また、図６（Ｃ）に示す光学部材２０Ｃは、ＥＬ発光体１０から発光した主要な方向の光が例えばＥＬ発光体面の法線方向の光である場合に、その光を主に集光させることができる光学部材であって、一方向に延びる蒲鉾状のシリンドリカルレンズ２３が多数配列した光学部材である。詳しくは、シリンドリカルレンズ２３は、その断面形状が半円状、例えば曲率半径が５μｍ〜５００μｍ程度の凸レンズであり、ＥＬ発光体１０から広角に発光した光の多くをＥＬ発光体面の法線方向に向かわせる（集光する）ように作用する。シリンドリカルレンズ２３の形状を特定する前記の半円形状を任意に設定することによって、ＥＬ発光体１０から発光した光の集光の程度を任意に設定することができる。このシリンドリカルレンズ２３の高さは５μｍ〜５００μｍであり、その幅（図６（Ｃ）を正面視した場合の左右方向の幅）は１０μｍ〜１０００μｍである。
【００７４】
また、図６（Ｄ）に示す光学部材２０Ｄは、ＥＬ発光体１０から発光した主要な方向の光が例えばＥＬ発光体面の法線方向の光である場合に、その光を正面方向に主に集光させることができる光学部材であって、ドーム形状の凸レンズ２４が多数配列した所謂フライアイレンズ（ハエの目レンズ）である。詳しくは、凸レンズ２４は、その断面形状が半円状のレンズであり、ＥＬ発光体１０から広角に発光した光の多くをＥＬ発光体面の正面方向に向かわせる（集光する）ように作用する。凸レンズ２４の形状を特定する曲率を任意に設定することによって、ＥＬ発光体１０から発光した光を正面方向に向かわせる集光の程度は任意に設定することができる。なお、この凸レンズ２４の高さは５μｍ〜５００μｍであり、その幅（図６（Ｄ）を正面視した場合の左右方向の幅）は１０μｍ〜１０００μｍである。
【００７５】
なお、図６（Ｄ）に示すフライアイレンズとほぼ同等の機能を有するものとして、図６（Ｃ）に示すシリンドリカルレンズ２３が配列した光学部材２０Ｃを、シリンドリカルレンズ２３の延在方向が直交するように積層させることもできる。
【００７６】
また、偏向部材として機能する図６（Ｂ）の光学部材２０Ｂと、ＥＬ発光体１０との間に、集光部材として機能する図６（Ａ）（Ｃ）（Ｄ）の光学部材２０Ａ，２０Ｃ，２０Ｄのいずれかを配置すれば、各光学部材２０Ａ，２０Ｃ，２０Ｄによって集光性が高められた光（例えば法線方向の光）を、それ以外の方向に偏向することができる。このとき偏向された光の輝度は、光学部材２０Ａ，２０Ｃ，２０Ｄの有無によって若干異なり、それら光学部材を設けた場合の方が、設けない場合に比べて中心輝度の高い光になっている。
【００７７】
また、同様に、集光部材として機能する光学部材とＥＬ発光体との間に、偏向部材として機能する光学部材を配置すれば、偏向部材によって光の方向が変えられた光を、その光と同じ又は略同じ方向に輝度を高めて透過させることができる。このとき、偏向された光が集光部材を通過することにより、中心輝度が高い光になっている。
【００７８】
また、光を集光するのと同時に偏向する部材を集光偏向部材というが、この集光偏向部材は、例えば図６（Ａ）に示す二等辺の矩形レンズ２１の角度を調製して、ＥＬ発光体からの光を集光するのと同時に、集光した光の方向を偏向するようにした一体型の光学部材や、例えば図６（Ｂ）に示すプリズム形状の矩形レンズ２２の角度を調製して、ＥＬ発光体からの光を偏向するのと同時に、偏向した後の光を集光するようにした一体型の光学部材を挙げることができる。
【００７９】
本発明の照明装置３０を構成する光学部材２０は、上記のような微細レンズやプリズムを有する光学部材でなくてもよく、例えばホログラムが形成された光学部材であってもよい。ホログラムとしては、例えば、フォトポリマー中に光の干渉により構成した屈折率格子からなる、体積型のホログラムを用いることができる。
【００８０】
体積型のホログラムはリップマンホログラムとも呼ばれ、ホログラムの厚さが光の波長より十分厚い場合のホログラムであり、記録材料の内側に厚さ方向に干渉縞を記録したもので、特定の波長と入射方向をもつ参照光に対してのみ回折光を発生するものである。詳しくは、乾板としてのフォトポリマー中で、波長５３２ｎｍのＬＤ励起レーザー光源より発振された２本の光を干渉させることにより、屈折率格子を構成してホログラムとしたものである。フォトポリマーとしては、デュポン社製のOMNIDEXシリーズ等を好適に用いることができ、回折効率も原理上９０％以上が可能となる。こうしたホログラムが形成された光学部材は、ＥＬ発光体から所定の方向（例えば法線方向）に発光した光の多くをＥＬ発光体面の前記所定の方向（例えば法線方向）から異なる方向に向かわせるように作用する。ホログラムを構成する際に、２本のレーザー光が干渉する角度を調整することにより、ＥＬ発光体から発光した光が例えば法線方向からずれた方向に向かう程度（回折性）を任意に設定することができる。また、体積ホログラムの他にも、表面に凹凸を設けたエンボスホログラムも適用可能である。
【００８１】
（他の形態の照明装置）
次に、複数の光学部材を有した複合型光学部材を備えた照明装置につい説明する。図７は、複合型光学部材を備えた照明装置の設置例であり、図８は、複合型光学部材が有する複数の光学部材の切換手段を備えた照明装置の一例を示す模式的な断面図である。また、図９は、本発明の照明装置が各種の用途に用いた設置例を示す模式図である。
【００８２】
図７（Ａ）に示す照明装置３０Ｃは、光の方向を所定の方向（図中ではＥＬ発光体面の法線方向）に主に集光する第１光学部材２０Ａと、光の方向を第１光学部材２０Ａとは異なる方向（図中ではＥＬ発光体面の下方）に主に偏向する第２光学部材２０Ｂとが組み合わされてなる複合型光学部材を備えた照明装置である。そして、その２つの光学部材２０Ａ，２０ＢがＥＬ発光体１０の面内方向に配置されている。第１光学部材２０Ａと第２光学部材２０Ｂの面積は特に限定されない。図７（Ａ）の態様では、同程度の面積で構成され、下半分の第１光学部材２０Ａが設けられた部分はＥＬ発光体面の法線方向に光を照射し、上半分の第２光学部材２０Ｂが設けられた部分はＥＬ発光体面から下方に光を照射する。なお、符号６０は人である。
【００８３】
一方、図７（Ｂ）に示す照明装置３０Ｄは、光の方向を所定の方向（図中ではＥＬ発光体面の法線方向）に主に集光する第１光学部材２０Ａと、光の方向を第１光学部材２０Ａとは異なる方向（図中ではＥＬ発光体面の下方）に主に偏向する第２光学部材２０Ｂと、その第１光学部材２０Ａ及び第２光学部材２０Ｂの間に配置されて光の方向をＥＬ発光体面の法線方向から徐々に第２光学部材２０Ｂと同様の方向に変化させる第３光学部材２０Ｇと、が組み合わされてなる複合型光学部材を備えた照明装置である。そして、その３つの光学部材２０Ａ，２０Ｂ，２０ＧがＥＬ発光体１０の面内方向に配置されている。この場合も、３つの光学部材の面積は特に限定されない。図７（Ｂ）の態様は、例えば電車やバス等の車両内や地下道内での照明に好ましく用いることができるものであり、天井の第１光学部材２０Ａが設けられた部分はＥＬ発光体面の法線方向である人６０の方向に光を照射し、側壁の第２光学部材２０Ｂが設けられた部分はＥＬ発光体面から下方である足下に光を照射している。そして、天井と側壁との間の曲面に配置された第３光学部材２０Ｇが設けられた部分は、その中間であり、光の方向をＥＬ発光体面の法線方向から徐々に第２光学部材２０Ｂと同様の下方向に変化させるように設計した光学部材を有し、人６０の方向から足下の方向に光を照射している。
【００８４】
ここで、「集光」とは、光学部材によって光を所定の方向に集光（通常は法線方向に光を集める）する場合である。また、「偏向」とは、光学部材によって光を所定の方向に偏向（通常は法線方向以外の方向に光を向ける）する場合である。なお、集光と偏向を行う光学部材は、２種の光学部材を重ねたものであってもよいし、積層態様で一体化させた１つの光学部材であってもよい。
【００８５】
面内方向に配置された上記複合型光学部材は、複数の光学部材が複合されているものであり、図７（Ａ）に示すように２つの光学部材が複合されたものであってもよいし、図７（Ｂ）に示す３つ又は４つ以上の光学部材が複合されたものであってもよい。その複合態様としては、図７（Ａ）（Ｂ）に示すように、面内方向に配置してそれぞれの光学部材に基づく方向が異なるように構成したものであってもよいし、また、前記したように、積層方向に配置して単一の光学部材では達成できない集光性や偏向性を持たせたものであってもよい（図示しない）。
【００８６】
また、光の集光度合いが異なる２種以上の集光部材を面内方向に配置した複合型光学部材であってもよい。こうした光学部材を用いた照明装置は、面内方向で輝度が異なる部位をもつ照明装置として好ましく利用できる。光の集光度合いが異なる光学部材は、例えば図６（Ａ）に示す矩形レンズ２１の頂角α，β，γやレンズ形状を変化させたり、図６（Ｃ）（Ｄ）に示すレンズ２３，２４の曲面形状や曲率半径等を変化させることにより実現することができる。
【００８７】
また、光の偏向度合いが異なる２種以上の偏向部材を面内方向に配置した複合型光学部材であってもよい。こうした光学部材を用いた照明装置は、面内方向で光の方向が異なる部位をもつ照明装置として好ましく利用できる。光の偏向度合いが異なる光学部材は、例えば図６（Ｂ）に示す矩形レンズ２２の頂角α，β，γを変化さたり、その矩形レンズ形状を変化させることにより実現することができる。
【００８８】
またさらに、光の集光度合いや光の偏向度合いが面内方向で連続的に変化するように構成した複合型光学部材であってもよい。この場合も上記同様、例えば図６（Ａ）に示す矩形レンズ２１の頂角α，β，γやレンズ形状を連続的に変化させたり、図６（Ｃ）（Ｄ）に示すレンズ２３，２４の曲面形状や曲率半径等を連続的に変化させたり、図６（Ｂ）に示す矩形レンズ２２の頂角α，β，γやレンズ形状を連続的に変化させるこることにより実現することができる。
【００８９】
このように、本発明の照明装置では、上記した種々の光学部材を面内方向に複合化させた複合型光学部材を好ましく備えることができる。例えば、図６（Ａ）（Ｃ）（Ｄ）等に示した光を主に集光する集光部材、図６（Ｂ）等に示した光を主に偏向する偏向部材、上記した光の集光度合いが異なる２種以上の集光部材、上記した光の偏向度合いが異なる２種以上の偏向部材、及び、上記した光を集光するのと同時に偏向する集光偏向部材、から選ばれる２種以上の光学部材を含むように組み合わされてなり、該２種以上の光学部材が前記エレクトロルミネッセンス発光体の面内方向に配置されているように構成した照明装置を好ましく提供できる。こうした照明装置は、異なる態様の２種以上の光学部材をエレクトロルミネッセンス発光体の面内方向に配置するので、例えば湾曲した壁面に本発明の照明装置を貼り付け且つその湾曲した壁面から特定の方向を照らしたい場合や本発明の照明装置が大面積である場合のように、積極的に光を照らしたい方向が照明装置の面内で異なるときに特に有効である。
【００９０】
図８は、複合型光学部材が有する複数の光学部材の切換手段を備えた照明装置の一例を示す模式的な断面図である。この照明装置３０Ｅは、ＥＬ発光体１０と、そのＥＬ発光体上に設けられた光学部材２０Ｈとを有するものである。その光学部材２０Ｈは、光を集光ないし偏向する２種以上の光学部材が面内方向に配置されている。この照明装置３０Ｅは、光学部材２０Ｈを面内方向（図中の矢印方向）に移動させて前記２種以上の光学部材をＥＬ発光体面上で自在に切り換えることができる切換手段を備えた装置である。
【００９１】
この場合において、光学部材２０Ｈは巻き取り可能なシート状又はフィルム状であり、その長尺方向の両端は巻取／送出機能をもつロール２７，２８に巻き取られている。その巻取／送出機能をもつロール２７，２８が同期して駆動することにより、その光学部材２０Ｈの長尺方向に配置された、光を集光ないし偏向する２種以上の光学部材を入れ変えることができ、ＥＬ発光体面上で自在に切り換えることができる。こうした切換手段を有する照明装置３０Ｅは、ＥＬ発光体の設置位置を変更することなく、積極的に照明光を照射する方向を制御できるという効果がある。なお、符号２９は押さえガイドローラであり、符号７０はＥＬ発光体を設置するベース部材である。この場合において、切換手段が２種以上の光学部材を所定の順番でスライドさせるスライド手段等を例示でき、より具体的な例としては、頂点角度の異なるレンズフィルムを一連のロール状態としてスライドさせるスライド手段が挙げられる。
【００９２】
また、上述した本発明の照明装置３０Ａ〜３０Ｅが備える光学部材や、上記した複合型光学部材を着脱自在とすることが好ましい。着脱自在とすることにより、比較的に広範囲を照明したい場合には、光学部材を外すことにより目的を達成できるという利点がある。なお、着脱自在とする具体的手段は特に限定されないが、ＥＬ発光体と透明基材（ガラス基板やポリカーボネート等の透明樹脂からなる基板）の間に光学部材を挟み込むようにして介在させ、ＥＬ照明装置の外周部に枠を設置して挟持することにより、脱着自在とすることができる。さらには、事後的な剥離が可能な粘着剤を用いてＥＬ発光体に直接貼合してもよい。この手法は、光学部材をＥＬ発光体に貼合する際に泡かみ、ゴミかみ等が発生した場合でも、リワークが可能となるため生産性の点からも好ましい。
【００９３】
上記同様、本発明の照明装置では、上記した種々の光学部材を面内方向に複合化させた複合型光学部材を好ましく備えることができる。例えば、図６（Ａ）（Ｃ）（Ｄ）等に示した光を主に集光する集光部材、図６（Ｂ）等に示した光を主に偏向する偏向部材、上記した光の集光度合いが異なる２種以上の集光部材、上記した光の偏向度合いが異なる２種以上の偏向部材、及び、上記した光を集光するのと同時に偏向する集光偏向部材、から選ばれる２種以上の光学部材を含むように組み合わされてなり、該２種以上の光学部材を前記エレクトロルミネッセンス発光体の発光面上で自在に切り換えることができる切換手段を備えているように構成した照明装置を好ましく提供できる。こうした照明装置は、異なる態様の２種以上の光学部材を面内方向に配置したＥＬ発光体を自在に切換可能なので、それらの光学部材を切り換えることにより、光の照射方向や輝度を場面に応じて自在に変更することが可能となる。この場合において、切換手段として、２種以上の光学部材を所定の順番でスライドさせるスライド手段を採用すれば、光を照らしたい方向をシームレスに連続して変化させることができる。
【００９４】
図９は、本発明の照明装置が各種の用途に用いた設置例を示す模式図である。図９（Ａ）は、足元を照らすための平面パネル状の照明装置３０を、廊下の床面５１近くの壁面（被装着体５０）に貼り付けた場合の例である。こうした照明装置３０により、主に床面に効率的に光を当てることができるとともに、観察者（廊下を通過する者のこと。）が眩しく感じることもない。
【００９５】
図９（Ｂ）は、平面パネル状の照明装置３０を、天井５２近くの壁面（被装着体５０）に貼り付けた場合の例である。この場合の照明装置３０は天井方向を主に照らすように設計されており、間接照明として機能する。そのため、観察者が眩しさを感じることなく、ソフトな照明光を得ることができる。
【００９６】
図９（Ｃ）は、パネル状の照明装置３０を航空機の天井面５３に貼り付けた場合の例である。この場合の照明装置３０は所謂読書灯であり、指向する座席５４毎にオンオフが可能なＥＬ発光体部分と、指向する座席５４を積極的に照明できる光学部材とを組み合わせてなるものである。こうした照明装置３０は、パネル状であることから、航空機内で高い意匠性を確保できる。
【００９７】
図９（Ｄ）は、自動車の前照灯に本発明の照明装置を適用した例である。図示例は、運転者側から見て自動車のフロント左側のコンビランプ５５を表したものであり、符号５６は方向指示器である。自動車はそのデザイン性から、前照灯には湾曲が付与される場合が多い。一方、前照灯としての性格上、主に自動車の進行方向を照明する必要がある。こうした前照灯として、本発明に係る湾曲状の照明装置３１を適用することにより、効率良く前方方向を照らすことができる。この場合は、特に前照灯の湾曲と照明したい方向の関係から、光学部材により、主な照射方向を連続的に異ならせることが好ましい。
【実施例】
【００９８】
以下に、実施例と比較例を挙げて本発明をさらに具体的に説明するが、本発明は以下の実施例に限定解釈されるものではない。
【００９９】
［実施例１］
２５ｍｍ×７５ｍｍ×１．１ｍｍのガラス基板上に厚さ１００ｎｍのＩＴＯ膜を蒸着法で形成したものを透明電極基板とした。この基板をイソプロピルアルコール中で１０分間超音波洗浄した後、乾燥窒素中にて乾燥し、次いで、ＵＶオゾン洗浄を行った。この透明電極基板上に正孔注入輸送層を形成した。正孔注入輸送層の形成は、先ず、蒸着装置内のホルダーに透明電極基板を設置し、抵抗加熱ボートにＮ，Ｎ’−ジフェニル−Ｎ，Ｎ’−ビス（３−メチルフェニル）−〔１，１’−ビフェニル〕−４，４’−ジアミン（ＴＰＤ）を２００ｍｇ入れ、さらに別の抵抗加熱ボートに４，４’−ビス（２，２’−ジフェニルビニル）ビフェニル（ＤＰＶＢｉ）を２００ｍｇ入れ、さらに別の抵抗加熱ボートにＰＡＶＢｉを入れ、真空チャンバーを１×１０-4Ｐａまで減圧し、その後、ＴＰＤ入りボートを２１５℃〜２２０℃まで加熱し、ＴＰＤを蒸着速度０．１〜０．３ｎｍ／秒で透明電極基板上に蒸着して、厚さ６０ｎｍの正孔注入輸送層を製膜した。このときの基板温度は室温であった。
【０１００】
次に、真空チャンバーから取り出すことなく、正孔注入輸送層の上にＤＰＶＢｉの入ったボートを加熱して厚さ４０ｎｍの第１発光層を蒸着した。このとき、同時にＰＡＶＢｉのボートを加熱し、第１発光層内にＰＡＶＢｉを３．０モル％の割合で含有させた。その後、真空チャンバーを大気圧に戻し、新たに抵抗加熱ボートに８−ヒドロキシキノリン・アルミニウム錯体（Ａｌｑ）を２００ｍｇ入れ、さらに別の抵抗加熱ボートにルブレン（アルドリッチ社製）を入れ、再度、真空チャンバーを１×１０-4Ｐａまで減圧し、次いでＡｌｑ入りのボートを加熱し、厚さ２０ｎｍの第２発光層を製膜した。このとき、同時にルブレンのボートも加熱し、０．５モル％の割合で第２発光層に含有させた。その後、真空チャンバーを大気圧へ再度戻し、抵抗加熱ボートにマグネシウムリボンを１ｇ入れ、タングステンバスケットに銀ワイヤーを５００ｍｇ入れて、真空チャンバーを１×１０-4Ｐａまで減圧し、その後、マグネシウムを蒸着速度１．４ｎｍ／秒、銀を蒸着速度０．１ｎｍ／秒で同時蒸着し、混合金属からなる厚さ１５０ｎｍの陰極を形成した。
【０１０１】
なお、用いた有機化合物の蛍光ピーク波長は、ＤＰＶＢｉ（固体）：４６５ｎｍ、ＰＡＶＢｉ（固体）：４６３ｎｍ、Ａｌｑ（固体）：５００ｎｍ、ルブレン（ジメチルホルムアミド０．１重量％溶液）：５８５ｎｍであった。また、ＰＡＶＢｉの構造式を次に示す。
【０１０２】
【化１】
0005194968.tif 000002
【０１０３】
次に、正面の輝度を向上させる光学部材２０を作製した。こうした光学部材２０として、図６（Ａ）に示す態様の、一方向に延びるとともに断面形状が二等辺からなる矩形レンズ２１が多数配列した厚さ３００μｍの光学フィルム部材を準備した。この矩形レンズ２１は、頂角αが９０°でピッチが１００μｍでレンズ高さが７０μｍの二等辺からなっている。光学フィルムの厚さは、図６（Ａ）を平面視した場合の底面から頂角αまでの高さである。
【０１０４】
得られたＥＬ発光体１０の陰極側と、光学部材２０の平坦面側（レンズ側の反対）とを重ね合わせて、実施例１の照明装置を作製した。
【０１０５】
［実施例２］
実施例１において、使用した光学フィルム部材の上に、さらに同じ光学フィルム部材をその矩形レンズ２１の稜線が直交するように重ねて照明装置を構成した他は、実施例１と同様にして、実施例２の照明装置を作製した。
【０１０６】
［実施例３］
実施例１において、用いた光学部材の代わりに、図６（Ｂ）に示す態様のノコギリ刃状の矩形レンズ２２を多数配列してなる光学部材を用いた他は、実施例１と同様にして、実施例２の照明装置を作製した。なお、ここで用いた光学部材は、一方向に延びるとともに断面形状がノコギリ刃状のプリズム態様の矩形レンズ２２が多数配列した厚さ１００μｍの光学フィルム部材であり、その矩形レンズ２２は頂角αが１００°でピッチが１１２μｍでレンズ高さが１６μｍである。
【０１０７】
［実施例４］
実施例１において、用いた光学部材の代わりに、図１０に示す態様のホログラムシートを用いた他は、実施例１と同様にして、実施例４の照明装置を作製した。なお、ここ用いた光学部材は、ホログラムシートであり、感光性材料からなる体積ホログラム層を有したフィルムを準備し、このフィルムの体積ホログラム層に透過型体積ホログラムを記録することによって、作製された。具体的には、５０μｍの厚さを有する支持基材としてのルミラーＴ６０（東レ社製の未処理ＰＥＴフィルムの商品名）上に、以下の組成物インキの感光性材料を乾燥後の厚さが１３μｍとなるように塗布し、その後乾燥して体積ホログラム層を形成し、ルミラーＴ６０／体積ホログラム層からなるフィルムを作製した。
【０１０８】
＜組成物インキ＞
・ポリメチルメタクリレート系樹脂（分子量２００，０００）…７０質量部
・下記一般式でＲ５＝Ｈ、Ｒ６＝ｐ−ビフェニルメチリレン基、ｍ＝ｎ＝１…１５０質量部
・３，９−ジエチル−３’−カルボキシメチル−２，２’−チアカルボシアニン、ヨウ素塩…０．６質量部
・ジフェニルヨードニウム−トリフルオロメタンスルホネート…６質量部
・１，６−ヘキサンジオールジグリシジルエーテル…８０質量部
・溶媒（ｎ−ブタノール：メチルイソブチルケトン＝１：１）…３９０質量部
【０１０９】
【化２】
0005194968.tif 000003
【０１１０】
式中、Ｒ５は水素原子又はメチル基、Ｒ６はｐ−ビフェニリルメチリレン基又はフルオレニリデン基、Ａはエチレン基又はプロピレン基を示し、ｍ、ｎは各々１以上であり、ｍ＋ｎは２．０〜８．０の範囲の数である。
【０１１１】
作製されたフィルムに対し、回折層の記録には波長５１４ｎｍのレーザー光を用いた。また、記録には図１０に示す配置にて、粗さ１０００番、大きさ５００ｍｍ×５００ｍｍのすりガラスを透過型拡散板として用いた。この透過型拡散板を、大きさ３００×３００ｍｍの体積ホログラム層に対向するようにして４３０ｍｍだけ離間して配置し、物体光としての散乱光を入射して回折層を作製した。作製された回折層（透過型体積ホログラム）は、３０°入射、０°回折であり、中心部にて±３０°の拡散角を有していた。なお、この実施例ではホログラムシートに対して拡散性を持たせたが、拡散性が無いホログラムシートであっても同様な効果を得ることができる。この場合、上記のすりガラスを用いずに、物体光、参照光の双方を平行光とすることにより実現できる。
【０１１２】
［比較例１］
実施例１において、用いた光学部材の代わりに、レンズ等が形成されていない厚さ５０μｍの透明フィルムを用いた他は、実施例１と同様にして、比較例１の照明装置を作製した。
【０１１３】
［評価及び結果］
実施例１〜４及び比較例１の照明装置から発光する光の分布（発光光分布）を測定した。発光光分布は、ＥＬＤＩＭ社製のＥＺコントラスト１６０Ｒを用い、全方位角度方向の輝度測定と、全極角度方向の輝度測定とを行い、その結果を図１１〜図１５に示した。各図において、上段は全方位角度方向の輝度測定結果であり、下段は方位角度０°、及び９０°における全極角度方向の輝度測定結果である。光学部材を用いない比較例１の結果（図１５を参照）に比べ、実施例１〜４の結果は正面輝度が大きく向上していることが解る。目視における評価でも、正面からの観察時には輝度が向上していることが確認され、視野角度を大きくするに従い、比較例１の場合に比較して急激にその輝度が低下していくことが確認された。
【０１１４】
図１１は、実施例１の照明装置から得られた輝度測定の結果である。実施例１の結果は、ＥＬ発光体１０の法線方向の輝度が法線方向以外の輝度に比べて相対的に大きくなっている。
【０１１５】
図１２は、実施例２の照明装置から得られた輝度測定の結果である。実施例１の結果と比べＥＬ発光体１０の法線方向とそれ以外の方向との輝度の比がさらに大きくなっているのが確認された。こうした結果は、ＥＬ発光体１０から発光した光の法線方向への指向性が高くなっており、より選択性が高まっていることを示している。
【０１１６】
図１３は、実施例３の照明装置から得られた輝度測定の結果である。実施例３の結果は、実施例１，２の結果とは異なり、相対的に最も明るくなるエリアが右方向にずれている。すなわち、水平方向で最も明るいエリアが、ＥＬ発光体１０の法線から角度１０°の方向にずれていることがわかる。
【０１１７】
図１４は、実施例４の照明装置から得られた輝度測定の結果である。実施例４の結果も、実施例１〜２の結果とは異なり、相対的に最も明るくなるエリアが右方向にずれている。なお、こうしたホログラムシートは、屈折率格子の角度により、回折方向を調整可能であるため、必要に応じてその角度を調整することができるという利点があるので、その角度を調整することにより、前記のずれ角度を変化させることができる。
【０１１８】
図１５は、光学部材を設けていない比較例１の照明装置から得られた輝度測定の結果である。
【０１１９】
以上の結果から、本発明の照明装置は、実施例１，２に示すように、最も明るい部分の絶対輝度をより上昇させる効果と、実施例３，４に示すように、輝度は変化しないが明るいエリアの方向を変化させる効果の２つのモードがある。なお、比較例１と実施例１とは、共に正面輝度が高くなっているが、比較例１の照明装置はその拡散角が広いのに対し、実施例１の照明装置は、最も輝度の高い方向を中央側により選択的に制御している。
【図面の簡単な説明】
【０１２０】
【図１】本発明の照明装置の一例を示す模式的な断面図である。
【図２】本発明の照明装置の他の一例を示す模式的な断面図である。
【図３】エリアカラー照明用のＥＬ発光体の一例を示す模式的な断面図である。
【図４】フルカラー照明用のＥＬ発光体の一例を示す模式的な断面図である。
【図５】無機ＥＬ発光体の一例を示す模式的な断面図である。
【図６】本発明の照明装置を構成可能な光学部材の複数の例を示す模式的な斜視図である。
【図７】複合タイプの光学部材を備えた照明装置の設置例である。
【図８】複合型光学部材が備える複数の光学部材の切換手段を備えた照明装置の一例を示す模式的な断面図である。
【図９】本発明の照明装置が各種の用途に用いた設置例を示す模式図である。
【図１０】回折層（透過型体積ホログラム）への記録を行うときの配置図である。
【図１１】実施例１の照明装置の発光光分布の測定結果である。
【図１２】実施例２の照明装置の発光光分布の測定結果である。
【図１３】実施例３の照明装置の発光光分布の測定結果である。
【図１４】実施例４の照明装置の発光光分布の測定結果である。
【図１５】比較例１の照明装置の発光光分布の測定結果である。
【符号の説明】
【０１２１】
１，１’  基材
２  ＥＬ積層体
３，３’  電極
４（４Ｒ，４Ｇ，４Ｂ），４’  発光層
５，５’  電極
６  保護層
７  接着層
８  カラーフィルタ
９  透明基材
１０（１０Ａ，１０Ｂ，１０Ｃ）  ＥＬ発光体
１１（１１Ｒ，１１Ｇ，１１Ｂ）  発光
１２（１２Ｒ，１２Ｇ，１２Ｂ）  光
１４  隔壁
１６  厚膜誘電体層
１７，１８  薄膜誘電体層
１９  電極保護層
２０（２０Ａ〜２０Ｇ）  光学部材
２０Ａ  集光部材
２０Ｂ  偏向部材
２１，２２  矩形レンズ
２３  シリンドリカルレンズ
２４  レンズ
２８  巻取／送出機能ロール
２９  ガイドロール
３０（３０Ａ〜３０Ｄ）  照明装置
５０  被装着体
５１  床面
６０  人
６１  ホログラム感光材料
６２  透過散乱板
６３  照明光
６４  物体光（散乱光）
６６  物体光（平行光）
６７  参照光（平行光）
θ  ＥＬ発光体面との角度
α  頂角
β  左底角
γ  右底角
【図１】
0005194968.tif 000004
【図２】
0005194968.tif 000005
【図３】
0005194968.tif 000006
【図４】
0005194968.tif 000007
【図５】
0005194968.tif 000008
【図６】
0005194968.tif 000009
【図７】
0005194968.tif 000010
【図８】
0005194968.tif 000011
【図９】
0005194968.tif 000012
【図１０】
0005194968.tif 000013
【図１１】
0005194968.tif 000014
【図１２】
0005194968.tif 000015
【図１３】
0005194968.tif 000016
【図１４】
0005194968.tif 000017
【図１５】
0005194968.tif 000018